(57)【要約】      （修正有）【課題】袋詰め作業を簡略化すると共に、コンパクトに収納することができる袋詰補助器具を提供する。【解決手段】袋詰補助器具としての土嚢作成補助器具１０は、土嚢袋の内部に土嚢材料を収容する際に、土嚢袋の内部に配置され、土嚢袋に内部から張力を与える器具である。また、土嚢作成補助器具は、第１板状部１３と、第２板状部１４と、第１板状部と第２板状部とを変位可能に接続する接続部１５と、第１板状部と第２板状部とが重畳する重畳部１６と、を具備する。更に、土嚢作成補助器具は、収納される収納状態と、土嚢袋の内部で略円筒状態とすることにより使用される使用状態と、を有し、収納状態における重畳部の面積は、使用状態における重畳部の面積よりも大きい。【選択図】図１
0003232645.tif 000002
【実用新案登録請求の範囲】
【請求項１】
袋の内部に粒状材料を収容する際に、前記袋の内部に配置され、前記袋に内部から張力を与える器具であり、
第１板状部と、第２板状部と、前記第１板状部と前記第２板状部とを変位可能に接続する接続部と、前記第１板状部と前記第２板状部とが重畳する重畳部と、を具備し、
収納される収納状態と、前記袋の内部で略円筒状態とすることにより使用される使用状態と、を有し、
前記収納状態における前記重畳部の面積は、前記使用状態における前記重畳部の面積よりも大きいことを特徴とする袋詰補助器具。
【請求項２】
前記接続部は、前記第１板状部と前記第２板状部を、互いにスライド可能に接続するスライド治具であることを特徴とする請求項１に記載の袋詰補助器具。
【請求項３】
前記接続部は、前記第１板状部と前記第２板状部とを、互いに回転可能に接続する回転治具であることを特徴とする請求項１に記載の袋詰補助器具。
【請求項４】
前記接続部が設けられる側とは反対側の、前記第１板状部の端部には、前記第１板状部の端部と前記第２板状部の端部とを係止する回動係止部が配置されることを特徴とする請求項１から請求項３の何れかに記載の袋詰補助器具。
【請求項５】
前記第１板状部および前記第２板状部の高さは、前記袋に前記粒状材料が詰められる高さよりも短いことを特徴とする請求項１から請求項４の何れかに記載の袋詰補助器具。
【考案の詳細な説明】
【技術分野】
【０００１】
本考案は、袋詰補助器具に関する。
【背景技術】
【０００２】
一般に、土嚢は、土が詰められた袋からなり、洪水などの災害が発生した際に、堤防などに積んで用いられる。
【０００３】
図８は、特許文献１に記載された、土嚢１０４を作成するための筒体１０１の使用方法を示す図である。図８（Ａ）は使用の初期段階を示す模式図であり、図８（Ｂ）は使用の中間段階を示す模式図であり、図８（Ｃ）は作製された土嚢１０４を示す模式図である。
【０００４】
図８（Ａ）を参照して、後述する土嚢１０４を作製する際に、先ず、土嚢袋１００の内部に筒体１０１を収納する。筒体１０１は、略円環状に成形された合成樹脂板から成る。土嚢袋１００の内部に筒体１０１を配置することで、土嚢袋１００を略円筒状にすることができる。よって、土嚢袋１００の上端開口が大きく開き、スコップ１０３を利用して、係る開口から土嚢袋１００の内部に、土１０２を投入することができる。
【０００５】
図８（Ｂ）を参照して、土嚢袋１００の内部に土１０２が充分に投入されたら、筒体１０１を土嚢袋１００の内部から上方に引き抜く。
【０００６】
図８（Ｃ）を参照して、紐などを用いて、土嚢袋１００の上端部を結束する。このような作業により、土嚢１０４を作製する。
【先行技術文献】
【特許文献】
【０００７】
【特許文献１】特開２００６−１２５０３５号公報
【考案の概要】
【考案が解決しようとする課題】
【０００８】
しかしながら、上記した各文献に記載された技術では、効率的に土嚢袋を作製する観点等から、改良の余地があった。
【０００９】
具体的には、前述した筒体１０１は、予めその形状および外径寸法が固定されている。よって、土嚢袋１００の大きさに応じて、筒体１０１を変形させることができない。また、土嚢袋１００に土１０２を充分に投入して詰めた後に、土嚢袋１００から筒体１０１を引き抜こうとすると、土嚢袋１００および土１０２と、筒体１０１との間で大きな摩擦力が発生し、筒体１０１を引き抜くことが簡単では無い場合があった。更に、筒体１０１は、常に円筒形状を呈しているため、筒体１０１を保管する際に、大きなスペースを要する課題もあった。
【００１０】
更に、このような課題は、米、飼料、肥料等を袋に詰める作業に関しても発生し得る。
【００１１】
本考案は、上記の事情に鑑みてなされたものであり、本考案の目的は、袋詰め作業を簡略化すると共に、コンパクトに収納することができる袋詰補助器具を提供することにある。
【課題を解決するための手段】
【００１２】
本考案の袋詰補助器具は、袋の内部に粒状材料を収容する際に、前記袋の内部に配置され、前記袋に内部から張力を与える器具であり、第１板状部と、第２板状部と、前記第１板状部と前記第２板状部とを変位可能に接続する接続部と、前記第１板状部と前記第２板状部とが重畳する重畳部と、を具備し、収納される収納状態と、前記袋の内部で略円筒状態とすることにより使用される使用状態と、を有し、前記収納状態における前記重畳部の面積は、前記使用状態における前記重畳部の面積よりも大きいことを特徴とする。
【００１３】
また、本考案の袋詰補助器具では、前記接続部は、前記第１板状部と前記第２板状部を、互いにスライド可能に接続するスライド治具であることを特徴とする。
【００１４】
また、本考案の袋詰補助器具では、前記接続部は、前記第１板状部と前記第２板状部とを、互いに回転可能に接続する回転治具であることを特徴とする。
【００１５】
また、本考案の袋詰補助器具では、前記接続部が設けられる側とは反対側の、前記第１板状部の端部には、前記第１板状部の端部と前記第２板状部の端部とを係止する回動係止部が配置されることを特徴とする。
【００１６】
また、本考案の袋詰補助器具では、前記第１板状部および前記第２板状部の高さは、前記袋に前記粒状材料が詰められる高さよりも短いことを特徴とする。
【考案の効果】
【００１７】
本考案の袋詰補助器具は、袋の内部に粒状材料を収容する際に、前記袋の内部に配置され、前記袋に内部から張力を与える器具であり、第１板状部と、第２板状部と、前記第１板状部と前記第２板状部とを変位可能に接続する接続部と、前記第１板状部と前記第２板状部とが重畳する重畳部と、を具備し、収納される収納状態と、前記袋の内部で略円筒状態とすることにより使用される使用状態と、を有し、前記収納状態における前記重畳部の面積は、前記使用状態における前記重畳部の面積よりも大きいことを特徴とする。従って、本考案の袋詰補助器具によれば、収納状態でコンパクトに収納することができる。また、使用状態では、袋詰補助器具の長さを充分に確保しつつ、第１板状部と第２板状部との接続部の強度も充分に確保することができる。更に、袋の内部で、第１板状部および第２板状部を略円筒状態とすることにより、袋の開口を大きく確保し、袋の内部に粒状材料を容易に充填することができる。よって、袋の開口を大きく確保するための補助者が不要になり、一人で土嚢作成を行うことができる。
【００１８】
また、本考案の袋詰補助器具では、前記接続部は、前記第１板状部と前記第２板状部を、互いにスライド可能に接続するスライド治具であることを特徴とする。従って、本考案の袋詰補助器具によれば、第１板状部と第２板状部とが、スライド治具を介して、互いにスライド可能に取り付けられることで、第１板状部と第２板状部とを互いにスライドさせる簡易な作業で、使用状態および収納状態を実現できる。
【００１９】
また、本考案の袋詰補助器具では、前記接続部は、前記第１板状部と前記第２板状部とを、互いに回転可能に接続する回転治具であることを特徴とする。従って、本考案の袋詰補助器具によれば、第１板状部と第２板状部とが、回転治具を介して、互いに回転可能に取り付けられることで、第１板状部と第２板状部とを互いに回転させる簡易な作業で、使用状態および収納状態を実現できる。
【００２０】
また、本考案の袋詰補助器具では、前記接続部が設けられる側とは反対側の、前記第１板状部の端部には、前記第１板状部の端部と前記第２板状部の端部とを係止する回動係止部が配置されることを特徴とする。従って、本考案の袋詰補助器具によれば、第１板状部の端部と第２板状部の端部とを係止する回動係止部を有することで、使用状態における第１板状部および第２板状部を安定的に略円環状にすることができる。
【００２１】
また、本考案の袋詰補助器具では、前記第１板状部および前記第２板状部の高さは、前記袋に前記粒状材料が詰められる高さよりも短いことを特徴とする。従って、本考案の袋詰補助器具によれば、第１板状部および第２板状部の高さが比較的低く抑えられていることで、使用状態において、粒状材料の充填の進行に応じて、第１板状部および第２板状部を徐々に上昇させることができる。よって、粒状材料の充填が終了した後に、第１板状部および第２板状部を一気に引き抜く必要が無く、かかる引き抜き作業を簡易にすることができる。
【図面の簡単な説明】
【００２２】
【図１】本考案の実施形態に係る袋詰補助器具である土嚢作成補助器具を示す図であり、（Ａ）は使用状態を示す平面図であり、（Ｂ）は収納状態を示す平面図であり、（Ｃ）は回動係止部を拡大し示す平面図である。
【図２】本考案の実施形態に係る袋詰補助器具である土嚢作成補助器具の使用状態を示す斜視図である。
【図３】本考案の他の形態に係る袋詰補助器具である土嚢作成補助器具を示す図であり、（Ａ）は使用状態を示す平面図であり、（Ｂ）は収納状態を示す平面図である。
【図４】本考案の他の形態に係る袋詰補助器具である土嚢作成補助器具を示す図であり、（Ａ）は使用状態を示す斜視図であり、（Ｂ）は他の使用状態を示す斜視図である。
【図５】本考案の他の形態に係る袋詰補助器具である土嚢作成補助器具を示す図であり、（Ａ）は使用状態を示す平面図であり、（Ｂ）は使用状態から収納状態への遷移を示す平面図であり、（Ｃ）は収納状態を示す平面図である。
【図６】本考案の他の形態に係る袋詰補助器具である土嚢作成補助器具の使用状態を示す斜視図である。
【図７】本考案の実施形態に係る袋詰補助器具である土嚢作成補助器具の使用状態を示す図であり、（Ａ）は使用の初期段階を示す模式図であり、（Ｂ）は使用の中間段階を示す模式図である。
【図８】背景技術に係る袋詰補助器具である土嚢作製装置の使用方法を示す図であり、（Ａ）は使用の初期段階を示す模式図であり、（Ｂ）は使用の中間段階を示す模式図であり、（Ｃ）は作製された土嚢を示す模式図である。
【考案を実施するための形態】
【００２３】
以下に、本考案の実施形態に係る袋詰補助器具である土嚢作成補助器具１０を図面に基づき詳細に説明する。尚、本実施形態の説明の際には、同一の部材には原則として同一の符番を用い、繰り返しの説明は省略する。更に、以下の説明では、紙面を突き抜ける方向を後方と称し、後方の反対方向を前方と称する場合もある。また、以下の説明では、土嚢作成補助器具１０の幅方向外側端部に対応する部位を、単に外側端部と称する場合もある。更に、以下の説明では、袋詰補助器具の一例として土嚢作成補助器具１０を示し、袋の一例として土嚢袋１１を示し、粒状材料の一例として土嚢材料１２を示す。
【００２４】
図１（Ａ）は土嚢作成補助器具１０の使用状態を示す平面図であり、図１（Ｂ）は土嚢作成補助器具１０の収納状態を示す平面図であり、図１（Ｃ）は土嚢作成補助器具１０の回動係止部１９を拡大して示す平面図である。ここで、使用状態とは、土嚢作成補助器具１０が、後述する土嚢袋１１の内部で使用されている状態、または、使用されるべく長尺とされた状態である。一方、収納状態とは、使用された後に保管されるために、土嚢作成補助器具１０が短尺とされた状態である。
【００２５】
図１（Ａ）を参照して、土嚢作成補助器具１０は、土嚢袋１１の内部に土嚢材料１２を収容する際に、土嚢袋１１の内部に配置され、土嚢袋１１に内部から張力を与える器具である。具体的には、土嚢作成補助器具１０は、第１板状部１３と、第２板状部１４と、接続部１５と、重畳部１６と、を主要に有する。
【００２６】
第１板状部１３は、後述する土嚢３４を作製する際に、土嚢材料１２を受け止めることができ、且つ、略円筒体を形成するべく湾曲できる板材が採用される。具体的には、第１板状部１３は、ＰＰ（Ｐｏｌｙｐｒｏｐｙｌｅｎｅ）またはＡＢＳ（Ａｃｒｙｌｏｎｉｔｒｉｌｅ  Ｂｕｔａｄｉｅｎｅ  Ｓｔｙｒｅｎｅ）等の合成樹脂から成る板状部材であり、その厚さは例えば１ｍｍないし２ｍｍである。第１板状部１３は、横方向に長手方向を有する矩形状を呈している。第１板状部１３の高さＬ２０は、例えば、後述する土嚢袋１１の高さの半分以下であり、具体的には、例えば、２０ｃｍないし３０ｃｍである。このようにすることで、図７を参照して後述するように、土嚢袋１１を作成する際に、土嚢袋１１に詰められる土嚢材料１２の高さに応じて、土嚢袋１１の内部において、土嚢作成補助器具１０を徐々に上昇させることができる。また、第１板状部１３の左側上端および左側下端には、回動係止部１９が取り付けられている。回動係止部１９の構成は後述する。
【００２７】
第２板状部１４は、第１板状部１３と同様の部材である。
【００２８】
接続部１５は、第１板状部１３と第２板状部１４とを変位可能に接続する。接続部１５としての回転治具１８は、第１板状部１３の右方側端部と、第１板状部１３の左方側端部近傍を回転可能に接続している。ここでは、２つの回転治具１８が、第１板状部１３と第２板状部１４とを回転可能に接続している。具体的な回転治具１８としては、例えば、蝶番である。
【００２９】
重畳部１６は、土嚢作成補助器具１０の中央部近傍で、第１板状部１３と第２板状部１４とが重畳する部分である。ここでは、重畳部１６では、紙面上において、第１板状部１３の右方側端部の後方に、第２板状部１４の左方側端部が配置されている。後述する使用状態に於いては、回転治具１８が配設された面が、半径方向外側を向くように、土嚢作成補助器具１０は湾曲される。使用状態における重畳部１６の幅Ｌ１０は、例えば、２ｃｍないし１０ｃｍである。幅Ｌ１０をこのようにすることで、重畳部１６における機械的強度を充分に確保でき、更に、第１板状部１３および第２板状部１４の横幅が過度に長くなることを抑制できる。
【００３０】
図１（Ｂ）を参照して、収納状態においては、回転治具１８が取り付けられた箇所を回転中心として、第１板状部１３と第２板状部１４とは折り畳まれている。収納状態における重畳部１６の幅Ｌ１１は、上記したＬ１０によりも長く、例えば、５０ｃｍないし１００ｃｍである。換言すると、収納状態における重畳部１６の面積は、使用状態における重畳部１６の面積の、二倍以上である。このようにすることで、収納状態における土嚢作成補助器具１０をコンパクトにすることができ、収納状態に於いて土嚢作成補助器具１０が占めるスペースを小さくできる。
【００３１】
図１（Ｃ）を参照して、回動係止部１９を詳述する。回動係止部１９は、第１延在部２１と、第２延在部２２と、回動軸２０と、を有する。第１延在部２１および第２延在部２２は、アルミニウム板等の金属板を曲折加工して形成された部材であり、第１延在部２１と第２延在部２２とは互いに直交している。また、第２延在部２２は、第１板状部１３の厚み方向に沿って、第１延在部２１から離間している。第１延在部２１の右端部は、回動軸２０を介して第１板状部１３に回転可能に接続されている。回動軸２０は、例えば、第１板状部１３を貫通する回動可能なビス構造である。回動係止部１９は、使用状態において、図１（Ａ）に示した第１板状部１３の左端部と、第２板状部１４の右端部とを係合させる部材である。
【００３２】
図２は、図１に示した土嚢作成補助器具１０の、使用状態を示す斜視図である。使用状態では、第１板状部１３および第２板状部１４は、後述する土嚢袋１１の内部で略円筒状態となるように湾曲している。
【００３３】
第１板状部１３および第２板状部１４の外側端部は重畳しており、この重畳部分において、第１板状部１３と第２板状部１４とは、回動係止部１９で係合されている。具体的には、第１延在部２１が第１板状部１３を半径方向外側から押し、第２延在部２２が第２板状部１４を半径方向内側から押す。本実施形態では、係る重畳部分を長くすることで、土嚢作成補助器具１０の直径を小さくすることができる。逆に、係る重畳部分を短くすることで、土嚢作成補助器具１０の直径を大きくすることができる。よって、後述する土嚢袋１１のサイズが様々であっても、土嚢作成補助器具１０の直径をそのサイズに応じて変更できる。
【００３４】
図３（Ａ）は他の形態に係る使用状態を示す土嚢作成補助器具１０の平面図であり、図３（Ｂ）は収納状態の土嚢作成補助器具１０を示す平面図である。この図に示す土嚢作成補助器具１０の構成は、図１に示したものと基本的には同様であるので、相違点を中心に説明する。
【００３５】
図３（Ａ）を参照して、第１板状部１３と、第２板状部１４とは、スライド治具である第１スライド治具２４および第２スライド治具２８を介して、スライド可能に接続されている。
【００３６】
第１スライド治具２４は、第１スライド治具本体部２６と、第１折返部２７と、第１固定部２５と、を有する。上下方向に細長く伸びる金属板の上下端部を折返加工することで、第１スライド治具本体部２６および第１折返部２７が形成されている。第１折返部２７は、第２板状部１４の左端部を挟持している。また、第１スライド治具本体部２６は、例えばビス構造である第１固定部２５を介して、第１板状部１３の右端部に固定されている。
【００３７】
第２スライド治具２８は、第２スライド治具本体部３０と、第２折返部３１と、第２固定部２９と、を有する。上下方向に細長く伸びる金属板の上下端部を折返加工することで、第２スライド治具本体部３０および第２折返部３１が形成されている。第２折返部３１は、第１板状部１３の右端部を挟持している。また、第２スライド治具本体部３０は、例えばビス構造である第２固定部２９を介して、第２板状部１４の左端部に固定されている。
【００３８】
使用状態では、土嚢作成補助器具１０の幅が充分に長くなるように、第１スライド治具２４および第２スライド治具２８を介して、第１板状部１３に対して第２板状部１４がスライドされている。即ち、第１板状部１３と第２板状部１４とが重畳する重畳部１６の幅は短くされている。
【００３９】
図３（Ｂ）を参照して、収納状態では、土嚢作成補助器具１０の全体幅が短くなるように、第１スライド治具２４および第２スライド治具２８を介して、第１板状部１３に対して第２板状部１４がスライドされている。即ち、第１板状部１３と第２板状部１４とが重畳する重畳部１６の幅は長くされている。
【００４０】
図４（Ａ）および図４（Ｂ）は、図３に示した土嚢作成補助器具１０の使用状態を示す斜視図である。
【００４１】
図４（Ａ）を参照して、ここでは、重畳部１６が短くなるように、第１スライド治具２４および第２スライド治具２８を介して、第１板状部１３に対して第２板状部１４をスライドさせることで、土嚢作成補助器具１０の直径を長くしている。このようにすることで、後述する土嚢袋１１が大型のものであった場合でも、土嚢作成補助器具１０を用いて効率的に土嚢３４を作成することができる。
【００４２】
図４（Ｂ）を参照して、ここでは、重畳部１６が長くなるように、第１スライド治具２４および第２スライド治具２８を介して、第１板状部１３に対して第２板状部１４をスライドさせることで、土嚢作成補助器具１０の直径を短くしている。このようにすることで、後述する土嚢袋１１が小型のものであった場合でも、土嚢作成補助器具１０を用いて効率的に土嚢３４を作成することができる。
【００４３】
図５（Ａ）は他の形態に係る土嚢作成補助器具１０の使用状態を示す平面図であり、図５（Ｂ）は使用状態から収納状態への遷移を示す土嚢作成補助器具１０の平面図であり、図５（Ｃ）は収納状態を示す土嚢作成補助器具１０の平面図である。この図に示す土嚢作成補助器具１０の構成は、図１に示したものと基本的には同様であるので、相違点を中心に説明する。
【００４４】
図５（Ａ）を参照して、ここでは、第１板状部１３と第２板状部１４とは、回転治具２３を介して接続されている。第１板状部１３の右端側は、上下方向に伸びる金属板である補強部３３により補強されている。また、第２板状部１４の左端側は、上下方向に伸びる金属板である補強部３２により補強されている。ここでは、補強部３３と補強部３２とは重なり合っている。回転治具２３は、例えば、第１板状部１３の右端部分、補強部３２、第２板状部１４の左端部分、および補強部３３を貫通する、回動可能なビス構造である。
【００４５】
図５（Ｂ）を参照して、土嚢作成補助器具１０を使用状態から収納状態に移行する際には、回転治具２３を回転中心として、第１板状部１３を時計回りに回転させる。
【００４６】
図５（Ｃ）を参照して、第１板状部１３を１８０度回転させることで、第１板状部１３と第２板状部１４とをほぼ全体的に重畳させる。これにより、土嚢作成補助器具１０は収納状態となる。
【００４７】
図６は、図５に示した土嚢作成補助器具１０の、使用状態を示す斜視図である。
【００４８】
ここでは、上記した各形態と同様に、第１板状部１３および第２板状部１４を湾曲させることで、土嚢作成補助器具１０を全体として略円筒形状としている。
【００４９】
図７（Ａ）は土嚢作成補助器具１０を使用する初期段階を示す模式図であり、図７（Ｂ）は使用の中間段階を示す模式図である。
【００５０】
図７（Ａ）を参照して、先ず、土嚢袋１１を用意する。土嚢袋１１としては、強度および耐候性に優れた袋が採用される。次に、例えば図２等のように略円筒状とされた使用状態の土嚢作成補助器具１０を、土嚢袋１１の底部に配置する。このようにすることで、土嚢作成補助器具１０が土嚢袋１１に内側から張力を与えるので、土嚢袋１１自体も略円筒形状と成る。よって、ユーザ１７は、スコップ等を利用して、土嚢袋１１の内部に土嚢材料１２を投入して詰めることができる。土嚢材料１２としては、土砂、砂、セメント塊または、これらの混合物等を採用できる。土嚢作成補助器具１０の高さ、即ち上記した第１板状部１３および第２板状部１４の高さは、土嚢袋１１に土嚢材料１２が詰められる高さよりも短い。例えば、土嚢作成補助器具１０の高さは、土嚢袋１１に土嚢材料１２が詰められる高さの半分以下とされている。
【００５１】
図７（Ｂ）を参照して、次に、詰められた土嚢材料１２の高さが、土嚢作成補助器具１０の高さと同等程度になったら、土嚢袋１１の内部で土嚢作成補助器具１０を引き上げる。土嚢作成補助器具１０の高さは、土嚢袋１１よりも低いため、土嚢材料１２により発生する摩擦力は比較的小さい。更に、第１板状部１３および第２板状部１４の素材が、ＡＢＳまたはＰＰであり、これらは滑りやすい合成樹脂であることも、当該摩擦力を低減させる一因となっている。よって、ユーザ１７は、土嚢袋１１の内部で土嚢作成補助器具１０を容易に上方に引き上げることができる。
【００５２】
上記作業を繰り返すことで、土嚢袋１１の内部において土嚢材料１２が所定の高さに達したら、ユーザ１７は、土嚢作成補助器具１０を土嚢袋１１から取りだし、土嚢袋１１の上方開口を紐等で縛る。このようにすることで、土嚢３４が作成される。
【００５３】
前述した本実施形態により、以下のような主要な効果を奏することができる。
【００５４】
具体的には、土嚢作成補助器具１０を収納状態において、コンパクトに収納することができる。また、使用状態では、土嚢作成補助器具１０の長さを充分に確保しつつ、第１板状部１３と第２板状部１４とを接続する接続部１５の強度も充分に確保することができる。更に、土嚢袋１１の内部で、第１板状部１３および第２板状部１４を略円筒状態とすることにより、土嚢袋１１の開口を大きく確保し、土嚢袋１１の内部に土嚢材料１２を容易に充填することができる。よって、土嚢袋１１の開口を大きく確保するための補助者が不要になり、一人で土嚢３４を作製することができる。
【００５５】
また、第１板状部１３と第２板状部１４とが、第１スライド治具２４等を介して、互いにスライド可能に取り付けられることで、第１板状部１３と第２板状部１４とを互いにスライドさせる簡易な作業で、使用状態および収納状態を実現できる。
【００５６】
また、第１板状部１３と第２板状部１４とが、回転治具２３または回転治具１８を介して、互いに回転可能に取り付けられることで、第１板状部１３と第２板状部１４とを互いに回転させる簡易な作業で、使用状態および収納状態を実現できる。
【００５７】
また、第１板状部１３の端部と第２板状部１４の端部とを係止する回動係止部１９を有することで、使用状態において、第１板状部１３および第２板状部１４を安定的に略円環状にすることができる。
【００５８】
また、第１板状部１３および第２板状部１４の高さが比較的低く抑えられていることで、使用状態において、土嚢材料１２の充填の進行に応じて、第１板状部１３および第２板状部１４を徐々に上昇させることができる。よって、土嚢材料１２の充填が終了した後に、第１板状部１３および第２板状部１４を一気に引き抜く必要が無く、かかる引き抜き作業を簡易にすることができる。
【００５９】
以上、本考案の実施形態について説明したが、本考案は、これに限定されるものではなく、本考案の要旨を逸脱しない範囲で変更が可能である。また、前述した各形態は相互に組み合わせることが可能である。
【００６０】
例えば、本実施形態にかかる袋詰補助器具は、前述した土嚢作成の他にも、米等の穀物、飼料または肥料等の他の粒状材料を袋に詰める際にも、用いることができる。
【符号の説明】
【００６１】
１０   土嚢作成補助器具
１１   土嚢袋
１２   土嚢材料
１３   第１板状部
１４   第２板状部
１５   接続部
１６   重畳部
１７   ユーザ
１８   回転治具
１９   回動係止部
２０   回動軸
２１   第１延在部
２２   第２延在部
２３   回転治具
２４   第１スライド治具
２５   第１固定部
２６   第１スライド治具本体部
２７   第１折返部
２８   第２スライド治具
２９   第２固定部
３０   第２スライド治具本体部
３１   第２折返部
３２   補強部
３３   補強部
３４   土嚢
１００ 土嚢袋
１０１ 筒体
１０２ 土
１０３ スコップ
１０４ 土嚢
【図１】
0003232645.tif 000003
【図２】
0003232645.tif 000004
【図３】
0003232645.tif 000005
【図４】
0003232645.tif 000006
【図５】
0003232645.tif 000007
【図６】
0003232645.tif 000008
【図７】
0003232645.tif 000009
【図８】
0003232645.tif 000010